(57)【要約】【課題】手書きが行えるだけでなく、製造コストが低く体積が小さい携帯電話の外接式手書き入力認識装置を提供する。【解決手段】手書きボードスキャナ装置１と手書き入力認識装置２、並びに伝送インターフェイス装置３とより構成し、使用者が直接手書きボードに文字を手書きで入力すると該手書きボードスキャナ装置１がその筆跡に対してスキャナを行い、該手書き入力認識装置２で該筆跡を認識して文字コードに転換すると、認識を完成した該文字コードを該伝送インターフェイス装置３により携帯電話４に入力し、該文字が該携帯電話４の応用プログラム中に送出されるようにする。【選択図】        図４
2005056375.tif 000002
【特許請求の範囲】
【請求項１】
手書きボードと、筆跡の座標と変位をスキャナすることで演算認識を行うべく手書き入力認識装置と手書き筆跡スキャナ装置と、認識された文字を携帯電話が受け付けるシグナルに転換して携帯電話中に送信されるべく伝送インターフェイス装置とが設けられている携帯電話の外接式手書き入力認識装置において、
前記手書きボードには、少なくとも手書き筆跡スキャナ装置、並びに手書き認識エンジンと伝送インターフェイス装置とを含む入力認識装置が設けられており、
該手書き筆跡スキャナ装置は、手書き筆跡のシグナルを座標と変位データに転換し、該手書き入力認識装置中に伝送して直接文字認識及び演算認識を行い、その認識結果を携帯電話が受け付ける文字コードフォーマットに転換した後、前記伝送インターフェイス装置で文字データを該携帯電話が受け付けるシグナルに転換し、該携帯電話に伝送することを特徴とする携帯電話の外接式手書き入力認識装置。
【請求項２】
前記手書き筆跡スキャナ装置は入力端であって、該筆跡スキャナ装置の誘導方式は電磁誘導式、或いは抵抗接触、コンデンサ接触式、又は赤外線や超音波によるものであることを特徴とする請求項１に記載の携帯電話の外接式手書き入力認識装置。
【請求項３】
前記入力認識装置には、少なくとも演算処理機が含まれ、該演算処理機には手書き認識エンジンを具有することを特徴とする請求項１に記載の携帯電話の外接式手書き入力認識装置。
【請求項４】
前記伝送インターフェイス装置は出力端であって、該伝送インターフェイス装置の伝送方式は有線によるもの、或いは無線によるものであることを特徴とする請求項１に記載の携帯電話の外接式手書き入力認識装置。
【請求項５】
前記携帯電話外接式手書き入力認識装置には手書きボードが含まれ、該手書きボードには少なくとも手書き筆跡スキャナ装置と、少なくとも手書き認識エンジンを含む整合型処理機と、伝送インターフェイス装置とを含み、使用者が該手書きボード表面に手書きを行うと、該手書き筆跡スキャナ装置が使用者の手書き筆跡のシグナルを受信し、該整合型処理機がシグナルを座標と変位データに変換し、更に該手書き認識エンジンで文字コードフォームとして認識し、得られた結果を携帯電話が受け付ける伝送インターフェイスシグナルフォーマットに処理し、伝送装置によってシグナルを携帯電話にまで送出することを特徴とする請求項１に記載の携帯電話の外接式手書き入力認識装置。
【請求項６】
前記整合型処理機は、ＬＣＤ制御モジュールプログラム拡張及びＬＣＤ制御回路駆動を選択することを特徴とする請求項５に記載の携帯電話の外接式手書き入力認識装置。
【請求項７】
前記手書きボードは前記ＬＣＤモニタが設置され、手書き入力を行うと同時にモニタに手書きの筆跡及び認識転換された文字と候補の文字が示し出されることを特徴とする請求項５に記載の携帯電話の外接式手書き入力認識装置。
【請求項８】
前記手書きボード表面は、該ボード上に置かれた紙上からペンで手書きを行うことで、該手書きボード表面では手書き入力を行うと同時に紙上に筆記が残されることを特徴とする請求項１に記載の携帯電話の外接式手書き入力認識装置。
【発明の詳細な説明】
【技術分野】
【０００１】
本発明は、携帯電話の外部からデータを入力する所謂外接式手書き入力認識装置に係り、特に、手書きボードスキャナ装置と手書き入力認識装置、並びに伝送インターフェイス装置とより構成され、使用者が直接手書きボードに文字を手書きで入力すると、該手書きボードスキャナ装置がその筆跡に対してスキャナを行い、該手書き入力認識装置によって該筆跡が認識されて文字コードに転換され、該伝送インターフェイス装置により認識を完成した該文字コードが携帯電話に入力されることで該文字が携帯電話の応用プログラム中に送出される手書き入力認識装置に関わる。
【背景技術】
【０００２】
携帯電話が不可欠となっている現在、データ産業が目覚しい発展を遂げており、携帯電話の機能は「話す」といった基本的な目的以外にも電話帳としての機能、文字や写真或いは電子メールの伝送、並びにメモ帳やスケジュール帳といった機能が重視されており、携帯電話の小型化と軽量化が更に進んでいることからキーボタンもこれに応じて減少する傾向にある。
【０００３】
こういった携帯電話の進化に対し、現在では文字入力方法は依然キーボタンに頼られている。入力方法は未だ簡易化が進んでおらず、例えば携帯電話のボタンにより文字を入力しようとする際、キーボードの数に限りがあることから、キーボタンを数回押さなければ一つの特定された文字が入力できないといった比較的複雑な方法が主となっている。特に現代の若者は携帯電話によってショートメッセージや電子メールの伝送を頻繁に行っており、これによる弊害としてキーボタンの寿命が短くなること、またキーボタンを連打することで指が痛くなるといったことが挙げられる。
【０００４】
そこで更に進んだ入力方式として、例えば、携帯電話メーカーのNOKIA社などではタッチパネルが携帯電話のキーボタン下方に設けたものを開発している。パネルに誤って接触するのを防止するべく、カバーが設けられており、文字を入力する際にはカバーを開けてから手書きで文字を入力できるようになっており、携帯電話中に搭載された手書き筆跡認識ソフトで文字を認識した後にショートメッセージ或いは電子メール、または上述のようなスケジュールなどの応用プログラム中に送られるようになっている。
しかし、小型化の進む携帯電話において、こういったパネルを設けても、手書きのできる面積は非常に小さく、素早く且つ大量の文字を書き込むには不便であり、またパネル上に紙を載せるなどして、同時に紙上にメモを残すこともできない。(例えば、特許文献１)
【０００５】
或いは、もう一つの携帯電話大手メーカーのMOTOROLA社が開発した携帯電話には、ＰＤＡ（パーソナルデータアシスタント）を一体化させたことにより、透明のタッチ式パネルで入力することを以って電話のキーボタンによる入力に代え、文字を一字ずつ手書きで入力することができるようになっているが、これも上述同様に、一度に大量の文字を書き込むことは不可能である上、電話の体積が大きくなってしまうといった欠点がある。また手書き認識ソフトをインストールしなければならず、携帯電話のＣＰＵ（中央処理機）にかかる負荷（演算やプログラムの執行など）が大きく、よってコストの増大につながる他、透明のタッチ式パネルでは上述同様にパネル上に紙を置いて手書きを行い、手書き入力と同時に紙上にメモを残すことが不可能となっている。(例えば、特許文献２)
【０００６】
【特許文献１】特開２００３−８８４３号公報
【特許文献２】特開２００１−１８９７９２号公報
【発明の開示】
【発明が解決しようとする課題】
【０００７】
本発明は、前記の不都合に鑑みてなされたもので、公知の方法では携帯電話の文字入力における不便さと、それを解決することで伴う体積の大きさを解決しようとする問題とし、手書きが行えるだけでなく、製造コストが低く体積が小さい携帯電話の外接式手書き入力認識装置を提供することである。
【課題を解決するための手段】
【０００８】
本発明は主に手書きボードスキャナ装置、手書き入力認識装置及び携帯電話と連結される伝送インターフェイス装置とより構成し、該手書きボードスキャナ装置は入力端であり、その誘導方式は電磁誘導式や抵抗接触、コンデンサ接触式或いは赤外線、超音波などといった方式によるものとする。
携帯電話手書き入力認識装置には少なくとも手書きスキャナ装置を含み、これは上述の如く、誘導方式が電磁誘導や抵抗接触、コンデンサ接触或いは赤外線、超音波となっていることで、該装置が手書きボードに書かれた筆跡を検出する。
手書き入力認識装置においては、少なくとも手書き認識エンジンが中央処理機（ＣＰＵ）中に搭載されており、主に使用者の筆跡の座標と変位データを演算及び認識し、認識された結果を送出する。
データ伝送装置においては、有線による伝送或いは無線による伝送装置であり、主に手書き入力認識装置２が認識した結果の文字コードを携帯電話中に伝送する。
使用者が手書きをはじめると、該手書きボードスキャナ装置が入力された筆跡を検出し、該手書きボードスキャナ装置が筆跡を転換し、座標データに転換されたら該手書き入力認識装置中に伝送して演算及び認識を行い、該手書き入力認識装置が認識を終えて文字コードを送出し、該文字コードが該伝送インターフェイス装置中に伝送されてシグナルに転換され、更に該携帯電話が認識できるインターフェイスシグナルフォーマットに転換された後、該伝送インターフェイスを通してシグナルを該携帯電話中に伝送する。
【０００９】
本発明は、これらの構成を用いて構成したもので、上述の課題を解決するべく、請求項１の発明は、手書きボードと、筆跡の座標と変位をスキャナすることで演算認識を行うべく手書き入力認識装置と手書き筆跡スキャナ装置と、認識された文字を携帯電話が受け付けるシグナルに転換して携帯電話中に送信されるべく伝送インターフェイス装置とが設けられている携帯電話の外接式手書き入力認識装置において、前記手書きボードには、少なくとも手書き筆跡スキャナ装置、並びに手書き認識エンジンと伝送インターフェイス装置とを含む入力認識装置が設けられており、該手書き筆跡スキャナ装置は、手書き筆跡のシグナルを座標と変位データに転換し、該手書き入力認識装置中に伝送して直接文字認識及び演算認識を行い、その認識結果を携帯電話が受け付ける文字コードフォーマットに転換した後、前記伝送インターフェイス装置で文字データを該携帯電話が受け付けるシグナルに転換し、該携帯電話に伝送することを特徴とする携帯電話の外接式手書き入力認識装置である。
【００１０】
請求項２の発明は、前記手書き筆跡スキャナ装置は入力端であって、該筆跡スキャナ装置の誘導方式は電磁誘導式、或いは抵抗接触、コンデンサ接触式、又は赤外線や超音波によるものであることを特徴とする請求項１に記載の携帯電話の外接式手書き入力認識装置である。
請求項３の発明は、前記入力認識装置には、少なくとも演算処理機が含まれ、該演算処理機には手書き認識エンジンを具有することを特徴とする請求項１に記載の携帯電話の外接式手書き入力認識装置である。
請求項４の発明は、前記伝送インターフェイス装置は出力端であって、該伝送インターフェイス装置の伝送方式は有線によるもの、或いは無線によるものであることを特徴とする請求項１に記載の携帯電話の外接式手書き入力認識装置である。
【００１１】
請求項５の発明は、前記携帯電話外接式手書き入力認識装置には手書きボードが含まれ、該手書きボードには少なくとも手書き筆跡スキャナ装置と、少なくとも手書き認識エンジンを含む整合型処理機と、伝送インターフェイス装置とを含み、使用者が該手書きボード表面に手書きを行うと、該手書き筆跡スキャナ装置が使用者の手書き筆跡のシグナルを受信し、該整合型処理機がシグナルを座標と変位データに変換し、更に該手書き認識エンジンで文字コードフォームとして認識し、得られた結果を携帯電話が受け付ける伝送インターフェイスシグナルフォーマットに処理し、伝送装置によってシグナルを携帯電話にまで送出することを特徴とする請求項１に記載の携帯電話の外接式手書き入力認識装置。
【００１２】
請求項６の発明は、前記整合型処理機は、ＬＣＤ制御モジュールプログラム拡張及びＬＣＤ制御回路駆動を選択することを特徴とする請求項５に記載の携帯電話の外接式手書き入力認識装置である。
請求項７の発明は、前記手書きボードは前記ＬＣＤモニタが設置され、手書き入力を行うと同時にモニタに手書きの筆跡及び認識転換された文字と候補の文字が示し出されることを特徴とする請求項５に記載の携帯電話の外接式手書き入力認識装置である。
請求項８の発明は、前記手書きボード表面は、該ボード上に置かれた紙上からペンで手書きを行うことで、該手書きボード表面では手書き入力を行うと同時に紙上に筆記が残されることを特徴とする請求項１に記載の携帯電話の外接式手書き入力認識装置である。
【発明の効果】
【００１３】
本発明によると、大量の文字を手書きにより入力した結果が携帯電話中に送られ、且つ、別の装置であるパーソナルデータアシスタント（ＰＤＡ）やコンピュータに頼ることなく使用でき、且つ、これらを携帯電話のサイズやコストを増大させずに行うといった目的が達成されるという効果を有し、また、手書き入力の際にボード上に紙を敷くことで、同時に紙上に文字の筆記を残すことが実現するという効果を有する。
【発明を実施するための最良の形態】
【００１４】
以下に、本発明の好適な実施例を図面に沿って説明する。
先ず図３に示すように、本発明の実施例で提供する装置の内部においては、該手書きボードスキャナ装置１は主にシグナル選択器１２，アナログ／デジタルシグナル転換器１３並びにスキャナ装置シグナル処理機１４をから構成され、その機能とは使用者が入力する手書きの筆跡０を受けると、該シグナル選択器１２が該筆跡０に対応する座標と変位データ１１を検出し、最も適切であるシグナルを該アナログ／デジタルシグナル転換器１３に送出し、デジタルシグナルに転換すると共に該スキャナ装置処理機１４で座標と変位データとして処理し、最後に該手書き入力認識装置２中に伝送して演算と認識を行う。
この手書き入力認識装置２は、主に演算処理機２１，データレジスタ２４並びに文字コードデータベース及び手書き認識エンジン２２より構成され、主な機能は該演算処理機２１が手書きボードスキャナ装置１より送られたデータを受けると、該演算処理機２１が該手書き認識エンジン２２を起動させ、該文字コードデータベース２３によって演算及び比較認識を行い、認識が完成するとその結果が該データレジスタ２４にレジストされ（一字一字を認識する他、認識率を高めるべく候補の文字を選出する機能も具有する）、該演算処理機２１が該文字コードデータを該伝送インターフェイス装置３に伝送する。
該伝送インターフェイス装置３は主に伝送装置処理機３３と伝送インターフェイス３１とより構成されており、該伝送装置処理機３３は該手書き入力認識装置２より伝送される文字コードデータを受けると、該データパケットは携帯電話と等しい伝送プロトコル３２であるインターフェイスシグナルフォーマットで、該伝送インターフェイス３１によって該携帯電話４中に伝送される。
【００１５】
また、上述の図２，３に示すように、各種処理機で各装置のシグナルを処理し、線路の分布が複雑且つ空間の無駄が生じていることから必然とコストが高くなっている。
よって、図４に示すように、主に各装置の処理機を同一の中央処理機（ＣＰＵ）６中に整合し、すべてのシグナルを受信、伝送並びに制御を一つのＣＰＵ６に統一して行うようにし、こうすることでは更に効果的に各装置間のシグナルの伝送が行えるようになる他、各装置の部品が省かれてコストを削減する目的も果たされる。
また、該ＣＰＵ６は更に多くの機能を搭載するべく、ＬＣＤモニタ７で同時に使用者の筆跡を顕示し、使用者が更に手書きを行い易くする。該手書き入認識装置２では一字一字を認識する他にも、認識率を高めるべく候補の文字を選択する能力も具有し、該ＣＰＵ６によってすべての結果を該ＬＣＤモニタ７で顕示することで、使用者が選択を行い易くし、文字のアウトプットの正確さを高める。
【００１６】
図４に示すように、最も理想的な整合演算方式において説明をする。
先ず、演算方式は全てＣＰＵ６によって制御されており、本装置が使用者の手書きによる筆跡である座標及び変位データ１１を検出し、該シグナル選択器６１で該シグナルに対し選択を行う。また該シグナルを該アナログ／デジタル転換器６２に送り、該ＣＰＵ６によって連続する座標データとして処理し、並びに手書き認識エンジン６３を起動させ、該文字コードデータベース６４で演算を行う。演算が完成すると、その結果である文字コードデータが該データレジスタ６５中にレジストされ、続いて該ＣＰＵ６がＬＣＤ制御プログラム６６を起動させ、結果が該ＬＣＤ制御回路６７によって該ＬＣＤもモニタ７に伝送される。
使用者が、正確な文字を選択すると、該ＣＰＵ６は使用者の選択した正確な文字を該データレジスタ６５よりピックアップし、該伝送インターフェイス制御プログラム６８を起動させて該文字コードデータパケットが携帯電話４と等しい伝送プロトコルのインターフェイスシグナルフォーマットで、該伝送インターフェイス装置制御回路６９によって該データを携帯電話４中に伝送する。上述の方法以外にも、同時に数回に分けられて手書き入力された正確な文字を該データレジスタ６５にレジストし、使用者が手書き入力を完成させると、すべての文字を同時に携帯電話４中に送出し、こうすることで使用者が本装置上に手書きで大量の文字を入力した後に、一度に送出することができる。
また、本装置にＬＣＤモニタ７を採用しない場合には、中央処理機は使用者に候補の文字を選択させず、直接該伝送インターフェイス制御プログラム６８を起動させ、該データレジスタ６５によって選択された第一候補の文字コードデータを、該携帯電話４と等しい伝送プロトコルのインターフェイスフォーマットで該携帯電話４にまで伝送する、若しくはすべての認識結果（第一候補とその他の候補の文字）をすべて携帯電話に送り、使用者が該携帯電話４上にて正確な文字を選択できるようにする。
【００１７】
更に、図５に示すように、本発明の実施例の機能は、使用者が文字を携帯電話４の応用プログラム４１中（例えばショートメッセージ４２やスケジュール４３或いはメモ帳４４など）に入力しようとする際、携帯電話４に本発明の外接式手書き入力認識装置５を使用して、直接ボード上に手書き入力すればよい。こうすることでは即ち該外接式手書き入力認識装置５が自動で使用者が手書き入力した文字を認識し、認識した結果が該携帯電話４中に送られるため、携帯電話中のボタンに頼って入力する必要がなくなる。また使用者が紙を使ってメモを残したい場合など、ボード上に紙を置いて手書きを行えば、入力した文字が携帯電話中に送られると同時に紙に記したメモも残すことができるようになる。
【図面の簡単な説明】
【００１８】
【図１】本発明の実施例の装置使用におけるフローチャートである。
【図２】本発明の実施例におけるシグナル伝送フローチャートである。
【図３】本発明の実施例における内部実施例を示す図である。
【図４】本発明にＬＣＤモニタを合わせた実施例を示す図である。
【図５】本発明における応用実施例を示す図である。
【符号の説明】
【００１９】
０  手書き筆跡
１  手書きボードスキャナ装置
１ａ  筆跡転換
１１  座標，変位データ
１２  シグナル選択器
１３  アナログ／デジタルシグナル転換器
１４  スキャナ装置シグナル処理機
２  手書き入力認識装置
２ａ  演算認識
２０２  文字コード
２１  演算処理機
２２  手書き認識エンジン
２３  文字コードデータベース
２４  データレジスタ
３  伝送インターフェイス装置
３ａ  シグナル転換
３０２  インターフェイスシグナルフォーマット
３１  伝送インターフェイス
３１ａ  伝送シグナル
３２  伝送プロトコル
３３  伝送装置処理機
４  携帯電話
４１  応用プログラム
４２  ショートメッセージ
４３  スケジュール
４４  メモ帳
５  手書き入力認識装置
６  ＣＰＵ（中央処理機）
６１  シグナル選択器
６２  アナログ／デジタル転換器
６３  手書き認識エンジン
６４  文字コードデータベース
６５  データレジスタ
６６  ＬＣＤ制御プログラム
６７  ＬＣＤ制御回路
６８  伝送インターフェイス制御プログラム
６９  伝送インターフェイス装置制御回路
７  ＬＣＤモニタ
【図１】
2005056375.tif 000003
【図２】
2005056375.tif 000004
【図３】
2005056375.tif 000005
【図４】
2005056375.tif 000006
【図５】
2005056375.tif 000007